(57)【要約】    【課題】  コントロールパネルを埃や衝撃から保護することのできるリモコンを提供する。    【解決手段】  コントロールパネル１２を有する本体１０と、本体１０に設けられコントロールパネル１２をカバーするカバー部１１とを備えた。また、カバー部１１は接続部１３とカバーシート１４を有し、接続部１３はカバーシート１４を本体１０に接続し、カバーシート１４はコントロールパネル１２をカバーするように構成した。【選択図】    図２
0003109536.tif 000002
【実用新案登録請求の範囲】
【請求項１】
電子装置を遠隔制御するリモコンであって、コントロールパネルを有する本体と、この本体に設けられ前記コントロールパネルをカバーするカバー部とを備えたことを特徴とするリモコン。
【請求項２】
前記カバー部は接続部とカバーシートを有し、前記接続部は前記カバーシートを前記本体に接続し、前記カバーシートは前記コントロールパネルをカバーするように構成したことを特徴とする請求項１に記載のリモコン。
【請求項３】
前記カバーシートは金属製であることを特徴とする請求項２に記載のリモコン。
【請求項４】
前記カバーシートは硬質の薄板からなることを特徴とする請求項２に記載のリモコン。
【請求項５】
前記カバーシートは軟質の薄板からなることを特徴とする請求項２に記載のリモコン。
【請求項６】
前記カバー部が前記コントロールパネルをカバーしたときに前記カバーシートは前記本体に固定されるように構成したことを特徴とする請求項２〜５のいずれか１項に記載のリモコン。
【請求項７】
前記カバー部と前記コントロールパネルは、磁性装置により固定されるように構成したことを特徴とする請求項６に記載のリモコン。
【請求項８】
前記カバー部と前記コントロールパネルは、面テープにより固定されるように構成したことを特徴とする請求項６に記載のリモコン。
【請求項９】
前記カバー部と前記コントロールパネルは、ロック装置により固定されるように構成したことを特徴とする請求項６に記載のリモコン。
【請求項１０】
前記カバー部と前記コントロールパネルは、ホックにより固定されるように構成したことを特徴とする請求項６に記載のリモコン。
【請求項１１】
前記カバー部と前記コントロールパネルは、嵌め合わせの構造により固定されるように構成したことを特徴とする請求項６に記載のリモコン。
【請求項１２】
前記接続部は可撓性の材料により形成されたことを特徴とする請求項２〜１１のいずれか１項に記載のリモコン。
【請求項１３】
前記可撓性の材料は、プラスチックからなることを特徴とする請求項１２に記載のリモコン。
【請求項１４】
前記可撓性の材料は、皮からなることを特徴とする請求項１２に記載のリモコン。
【請求項１５】
前記可撓性の材料は、布からなることを特徴とする請求項１２に記載のリモコン。
【請求項１６】
前記電子装置は、ディスプレイであることを特徴とする請求項１〜１５のいずれか１項に記載のリモコン。
【請求項１７】
前記電子装置は、電器製品であることを特徴とする請求項１〜１５のいずれか１項に記載のリモコン。
【請求項１８】
前記接続部を折り曲げて前記カバー部を本体のコントロールパネル側と背面側のどちら側にも固定可能に構成したことを特徴とする請求項１２〜１７のいずれか１項に記載のリモコン。
【考案の詳細な説明】
【技術分野】
【０００１】
本考案は、電子装置を遠隔制御するリモコンに関するものである。
【背景技術】
【０００２】
リモコンは、テレビ、クーラー、ステレオなどの電子装置を遠隔制御するためによく用いられている。
【０００３】
一般的に、リモコンはコントロールパネルを有し、このコントロールパネルを操作することで電子装置を遠隔操作するようになっている。そして、コントロールパネルは、操作インターフェースとして複数のキーを有しているのが一般的である。
【０００４】
しかし、リモコンの表面に付着した埃は除去しにくく、また、外部から大きな衝撃を受けたときにリモコンが破損しやすいといった問題があった。
【考案の開示】
【考案が解決しようとする課題】
【０００５】
本考案は、上述の課題を解決し、コントロールパネルを埃や衝撃から保護することのできるリモコンを提供することを目的とする。
【課題を解決するための手段】
【０００６】
本考案のリモコンは、電子装置を遠隔制御するリモコンであって、コントロールパネルを有する本体と、この本体に設けられ前記コントロールパネルをカバーするカバー部とを備えたものである。
【０００７】
また、前記カバー部は接続部とカバーシートを有し、前記接続部は前記カバーシートを前記本体に接続し、前記カバーシートは前記コントロールパネルをカバーするように構成したものである。
【０００８】
また、前記カバーシートは金属製である。
【０００９】
また、前記カバーシートは硬質の薄板からなる。
【００１０】
また、前記カバーシートは軟質の薄板からなる。
【００１１】
また、前記カバー部が前記コントロールパネルをカバーしたときに前記カバーシートは前記本体に固定されるように構成したものである。
【００１２】
また、前記カバー部と前記コントロールパネルは、磁性装置により固定されるように構成したものである。
【００１３】
また、前記カバー部と前記コントロールパネルは、面テープにより固定されるように構成したものである。
【００１４】
また、前記カバー部と前記コントロールパネルは、ロック装置により固定されるように構成したものである。
【００１５】
また、前記カバー部と前記コントロールパネルは、ホックにより固定されるように構成したものである。
【００１６】
また、前記カバー部と前記コントロールパネルは、嵌め合わせの構造により固定されるように構成したものである。
【００１７】
また、前記接続部は可撓性の材料により形成されたものである。
【００１８】
また、前記可撓性の材料は、プラスチックからなる。
【００１９】
また、前記可撓性の材料は、皮からなる。
【００２０】
また、前記可撓性の材料は、布からなる。
【００２１】
また、前記電子装置は、ディスプレイである。
【００２２】
また、前記電子装置は、電器製品である。
【００２３】
さらに、前記接続部を折り曲げて前記カバー部を本体のコントロールパネル側と背面側のどちら側にも固定可能に構成したものである。
【考案の効果】
【００２４】
本考案のリモコンによれば、カバー部でコントロールパネルをカバーして、埃の侵入によるコントロールパネルの汚れと、外部から受けた衝撃によるリモコンの破損を防ぐことができる。また、接続部を折り曲げてカバー部を本体のコントロールパネル側と背面側のどちらにも固定可能に構成したことによって、リモコンを用いるときにカバー部を本体の背面側に固定してリモコンを持ちやすくできるので、利便性が高く新規なデザインのリモコンを提供することができる。
【考案を実施するための最良の形態】
【００２５】
本考案についての目的、特徴、長所が一層明確に理解されるよう、以下に実施形態を例示し、図面を参照しながら、詳細に説明する。
【実施例１】
【００２６】
本考案のリモコンは、前後どちらにも折り曲げることができるカバー部を備えており、リモコンを使用しないときには、リモコンのコントロールパネルをカバーすることでコントロールパネルを埃による汚れや外部からの衝撃から保護し、一方、リモコンを使用するときには、カバー部を後方に向けて折り曲げることができ、持ちやすくなっている。
【００２７】
図１は、本考案のリモコン１とこのリモコンで遠隔制御される電子装置２の概略図を示している。ここでの電子装置２は、ディスプレイ（例えば、テレビ、平面ディスプレイなど）、電器製品（例えば、クーラーなど）、または視聴装置（例えば、ＤＶＤプレーヤー、ステレオなど）であるが、これらに限定されない。
【００２８】
図２は、本考案のリモコン１の斜視図を表している。本考案のリモコン１は、細長い形状の本体１０とカバー部１１を有する。カバー部１１は、折り曲げ可能になっており、本体１０とヒンジ接続で一体に接続している。本体１０は、コントロールパネル１２（例えば、図１のキー）を有し、このコントロールパネル１２を操作することで電子装置２を遠隔制御することができるようになっている。カバー部１１は、更に接続部１３とカバーシート１４の両部分から構成されている。接続部１３は、カバーシート１４を本体１０に接続している。接続部１３は、可撓性の材料から形成されており、容易に前後に折り曲げることができるようになっている。この可撓性の材料としては、プラスチック、皮、または布などが挙げられる。カバーシート１４は、硬質の薄板（例えば、金属製）、または軟質の薄板から形成されている。なお、接続部１３とカバーシート１４は、それぞれ異なる材料から形成してもよく、または同一の材料から一体成形により形成してもよい。
【００２９】
図３は、本考案のリモコン１のカバー部１１が閉じた状態、すなわちカバー部１１がコントロールパネル１２をカバーしている状態のリモコン１の正面透視図を示している。リモコン１を使用していないときには、カバー１１部を本体１０のコントロールパネル１２側に貼り付けて収めることで、カバー部１１が本体１０と充分に融合して一体となるようになっている。すなわち、カバーシート１４は、コントロールパネル１２を完全にカバーし、コントロールパネル１２を保護するようになっている。これによって、埃の侵入によるリモコン１の汚れ、外部から受けた衝撃によるリモコン１の破損を防ぐことができるようになっている。カバー部１１がコントロールパネル１２をカバーしているとき、カバーシート１４は、公知の方法で本体１０の正面に固定されるようになっている。この公知の方法としては、磁性を利用した磁性装置を用いてカバーシート１４と本体１０を互いに引き寄せる方法、マジックテープ（登録商標）などの面テープを用いて互いに付着する方法、ロック装置を用いて互いに係合する方法、ホックを用いて互いに係合する方法、または、嵌め合わせの構造を用いて互いに嵌合する方法などが含まれる。
【００３０】
図４は、本考案のリモコン１を用いるときの状態、すなわちカバー部１１を後方に向けて折り曲げて持ちやすくした状態のリモコン１の背面図を示している。このとき、カバー部１１は、公知の方法で本体１０の背面に固定されるようになっている。この公知の方法としては、磁性を利用した磁性装置を用いて互いに引き寄せる方法、マジックテープ（登録商標）などの面テープを用いて互いに付着する方法、ロック装置を用いて互いに係合する方法、ホックを用いて互いに係合する方法、または、嵌め合わせの構造を用いて互いに嵌合する方法などが含まれる。
【００３１】
以上のように、本実施例のリモコンによれば、電子装置２を遠隔制御するリモコン１であって、コントロールパネル１２を有する本体１０と、この本体１０に設けられ前記コントロールパネル１２をカバーするカバー部１１とを備えたものである。
【００３２】
また、前記カバー部１１は接続部１３とカバーシート１４を有し、前記接続部１３は前記カバーシート１４を前記本体１０に接続し、前記カバーシート１４は前記コントロールパネル１２をカバーするように構成したものである。
【００３３】
また、前記カバーシート１４は金属製、硬質の薄板、または軟質の薄板からなる。
【００３４】
また、前記カバー部１１が前記コントロールパネル１２をカバーしたときに前記カバーシート１４は前記本体１０に固定されるように構成したものである。
【００３５】
また、前記カバー部１１と前記コントロールパネル１２は、磁性装置、面テープ、ロック装置、ホック、または嵌め合わせの構造により固定されるように構成したものである。
【００３６】
また、前記接続部１３は可撓性の材料により形成されたものである。
【００３７】
また、前記可撓性の材料は、プラスチック、皮、または布からなる。
【００３８】
また、前記電子装置２は、ディスプレイまたは電器製品である。
【００３９】
さらに、前記接続部１３を折り曲げて前記カバー部１１を本体１０のコントロールパネル１２側と背面側のどちら側にも固定可能に構成したものである。
【００４０】
以上の構成によれば、カバー部１１でコントロールパネル１２をカバーして、埃の侵入によるコントロールパネル１２の汚れと、外部から受けた衝撃によるリモコン１の破損を防ぐことができる。また、接続部１３を折り曲げてカバー部１１を本体１０のコントロールパネル１２側と背面側のどちらにも固定可能に構成したことによって、リモコン１を用いるときにカバー部１１を本体１０の背面側に固定してリモコン１を持ちやすくできるので、利便性が高く新規なデザインのリモコンを提供することができる。
【００４１】
以上、本考案の好適な実施例を例示したが、これは本考案を限定するものではなく、本考案の精神及び範囲を逸脱しない限りにおいては、当業者であれば行いうる少々の変更や修飾を付加することは可能である。従って、本考案が保護を請求する範囲は、実用新案登録請求の範囲を基準とする。
【図面の簡単な説明】
【００４２】
【図１】本考案のリモコンと電子装置を示す概略図である。
【図２】本考案のリモコンを示す斜視図である。
【図３】本考案のリモコンを示す正面透視図である。
【図４】本考案のリモコンを示す背面図である。
【符号の説明】
【００４３】
１  リモコン
２  電子装置
１０  本体
１１  カバー部
１２  コントロールパネル
１３  接続部
１４  カバーシート
【図１】
0003109536.tif 000003
【図２】
0003109536.tif 000004
【図３】
0003109536.tif 000005
【図４】
0003109536.tif 000006